(57)【要約】【課題】    店舗にとって無駄な経費を削減するとともに、ポイントサービスの運営を低コストで円滑に行えるようにしたポイントサービスシステムを得る。【解決手段】  スタンプ加盟店１と、スタンプ加盟店１を纏める本部２とを備えて構成される組織体からなり、スタンプ加盟店１は共通のスタンプカード３を使用し、フルマークになったスタンプカード３に対してスタンプ加盟店１はこれを買物利用券或いは景品その他のサービス提供券として顧客４に利益を提供し、当該スタンプ加盟店１は、当該フルマークになったスタンプカード３を本部２に提出し、その数に応じて本部２から所定の金額の給付を受け、本部２は提出されたフルマークになったスタンプカード３に押されているスタンプ加盟店１毎に、スタンプ５の数に応じた負担金をコンピュータ６で計算し請求するようにした。【選択図】  図１
2006113731.tif 000002
【特許請求の範囲】
【請求項１】
スタンプ加盟店と、スタンプ加盟店を纏める本部とを備えて構成される組織体からなり、スタンプ加盟店は共通のスタンプカードを使用し、フルマークになったスタンプカードに対してスタンプ加盟店はこれを買物利用券或いは景品その他のサービス提供券として顧客に利益を提供し、当該スタンプ加盟店は、当該フルマークになったスタンプカードを本部に提出し、その数に応じて本部から所定の金額の給付を受け、本部は提出されたフルマークになったスタンプカードに押されているスタンプ加盟店毎に、スタンプの数に応じた負担金をコンピュータで計算し請求するようにしたポイントサービスシステムであって、
前記スタンプ加盟店は、スタンプカードに対してスタンプ加盟店識別情報を含んだスタンプを押印するための押印手段を備え、
本部は、押印手段で押印されたスタンプカードのスタンプを画像情報として読み取りコンピュータに出力する画像情報読取手段を備え、
前記コンピュータは、スタンプ加盟店毎の識別情報を記憶させたスタンプ加盟店識別情報記憶手段と、前記画像情報読取手段から入力された画像情報に基づきスタンプ加盟店の識別情報を認識して、特定のスタンプ加盟店を認識するスタンプ加盟店認識手段と、スタンプ加盟店認識手段で認識されたスタンプカードに押印されているスタンプ加盟店毎のスタンプの数を計算するスタンプ計算手段と、スタンプ計算手段で計算されたスタンプ加盟店毎のスタンプの数により、スタンプ加盟店毎の負担金を計算する負担金計算手段と、を備えており、
前記スタンプ加盟店から本部に提出されたフルマークになったスタンプカードを本部に備えた画像情報読取手段により、スタンプカードのスタンプを画像情報として読み取ってコンピュータに出力し、スタンプ加盟店認識手段により、前記画像情報読取手段から入力された画像情報に基づきスタンプ加盟店の識別情報を認識し、スタンプ計算手段により、スタンプ加盟店認識手段で認識されたスタンプカードに押印されているスタンプ加盟店毎のスタンプの数を計算し、負担金計算手段により、スタンプ計算手段で計算されたスタンプ加盟店毎のスタンプの数からスタンプ加盟店毎の負担金を計算し、
本部からスタンプカードに押されているスタンプ加盟店毎に、負担金計算手段で計算されたスタンプ加盟店毎の負担金を請求するようにし、また、フルマークになったスタンプカードを提出したスタンプ加盟店に対しては、スタンプカードの枚数に応じて適宜の計算手段により給付金を計算して、所定の金額を給付するようにしたことを特徴とするポイントサービスシステム。
【請求項２】
スタンプ加盟店と、スタンプ加盟店を纏める本部とを備えて構成される組織体からなり、スタンプ加盟店は共通のスタンプカードを使用し、フルマークになったスタンプカードに対して本部はこれを買物利用券或いは景品その他のサービス提供券として顧客に利益を提供するとともに、フルマークになったスタンプカードに押されているスタンプ加盟店毎に、スタンプの数に応じた負担金をコンピュータで計算し請求するようにしたポイントサービスシステムであって、
前記スタンプ加盟店は、スタンプカードに対してスタンプ加盟店識別情報を含んだスタンプを押印するための押印手段を備え、
本部は、押印手段で押印されたスタンプカードのスタンプを画像情報として読み取りコンピュータに出力する画像情報読取手段を備え、
前記コンピュータは、スタンプ加盟店毎の識別情報を記憶させたスタンプ加盟店識別情報記憶手段と、前記画像情報読取手段から入力された画像情報に基づきスタンプ加盟店の識別情報を認識して、特定のスタンプ加盟店を認識するスタンプ加盟店認識手段と、スタンプ加盟店認識手段で認識されたスタンプカードに押印されているスタンプ加盟店毎のスタンプの数を計算するスタンプ計算手段と、スタンプ計算手段で計算されたスタンプ加盟店毎のスタンプの数により、スタンプ加盟店毎の負担金を計算する負担金計算手段と、を備えており、
前記顧客から本部に提出されたフルマークになったスタンプカードを本部に備えた画像情報読取手段により、スタンプカードのスタンプを画像情報として読みとってコンピュータに出力し、スタンプ加盟店認識手段により、前記画像情報読取手段から入力された画像情報に基づきスタンプ加盟店の識別情報を認識し、スタンプ計算手段により、スタンプ加盟店認識手段で認識されたスタンプカードに押印されているスタンプ加盟店毎のスタンプの数を計算し、負担金計算手段により、スタンプ計算手段で計算されたスタンプ加盟店毎のスタンプの数からスタンプ加盟店毎の負担金を計算し、
本部からスタンプカードに押されているスタンプ加盟店毎に、負担金計算手段で計算されたスタンプ加盟店毎の負担金を請求するようにしたことを特徴とするポイントサービスシステム。
【請求項３】
前記スタンプカードには顧客情報を記載する顧客情報記載欄を備え、前記本部にはスタンプカードに記載された顧客情報を読み取りコンピュータに出力する顧客情報読取手段を備え、
前記コンピュータは、前記顧客情報読取手段から入力された顧客情報を所定項目毎に集計する顧客情報集計手段を備えたことを特徴とする請求項１又は２に記載のポイントサービスシステム。
【請求項４】
前記スタンプ加盟店はそれぞれ所定のサーバにホームページを開設し、前記スタンプには、該スタンプを押印する前記スタンプ加盟店の符号化されたホームページアドレスを含ませ、顧客が有する携帯端末に備えた撮像手段で前記スタンプを撮影することにより、インターネットを介して前記ホームページにアクセスできるようにしたことを特徴とする請求項１，２又は３に記載のポイントサービスシステム。
【発明の詳細な説明】
【技術分野】
【０００１】
本発明は、店舗において顧客の支払金額等に応じて発行されるポイントが貯まると、顧客が所定のサービスを受けることができるようになるポイントサービスシステムに関する。
【背景技術】
【０００２】
従来より、店舗における販売促進のための顧客サービスとして、買い物金額等に応じて顧客に対してポイントの発行を行い、顧客は、所定数のポイントになると買物利用券或いは景品その他のサービス提供券としてのサービスの提供を受けることができるようになるポイントサービスシステムが知られている。各店舗におけるポイントの発行は、一般に、シールの付与やスタンプの押印、あるいは磁気カードへの記録などの形で行われている。
【０００３】
このようなポイントサービスシステムは、１つの店舗が独自に行っている場合もあるが、複数の店舗が纏まって行っている場合もある。複数の店舗が纏まって行っているポイントサービスシステムとしては、複数の店舗を束ねる本部があり、各店舗は本部から予めシールやポイントを購入しておき、各店舗における顧客の支払金額に応じ、その顧客に対して前記本部から購入した範囲内でのシールの付与やポイント数の範囲内でスタンプの押印を行うといったものや、また、各店舗において、顧客の支払金額に応じたポイントを磁気カードに記録するといったものなどがある（例えば、特許文献１参照。）。
【特許文献１】特公平８−１２７１６号公報
【発明の開示】
【発明が解決しようとする課題】
【０００４】
しかしながら、店舗から付与されたシールやポイントが記録された磁気カードを顧客が紛失してしまったり、シールを台紙に貼り付ける手間が面倒であるなどの理由で、ポイントを利用しないといったことがある。従来のポイントサービスシステムは、各店舗が予め本部からシールやポイントを購入していることから、顧客に付与されたシールやポイントが買物利用券或いは景品その他のサービス提供券として利用されない場合、店舗にとって無駄な経費となるといった問題があった。
【０００５】
本発明の目的は、店舗にとって無駄な経費を削減するとともに、ポイントサービスの運営を低コストで円滑に行えるようにしたポイントサービスシステムを提供することにある。
【課題を解決するための手段】
【０００６】
上記課題を解決するために、請求項１に記載の発明は、スタンプ加盟店と、スタンプ加盟店を纏める本部とを備えて構成される組織体からなり、スタンプ加盟店は共通のスタンプカードを使用し、フルマークになったスタンプカードに対してスタンプ加盟店はこれを買物利用券或いは景品その他のサービス提供券として顧客に利益を提供し、当該スタンプ加盟店は、当該フルマークになったスタンプカードを本部に提出し、その数に応じて本部から所定の金額の給付を受け、本部は提出されたフルマークになったスタンプカードに押されているスタンプ加盟店毎に、スタンプの数に応じた負担金をコンピュータで計算し請求するようにしたポイントサービスシステムであって、前記スタンプ加盟店は、スタンプカードに対してスタンプ加盟店識別情報を含んだスタンプを押印するための押印手段を備え、本部は、押印手段で押印されたスタンプカードのスタンプを画像情報として読み取りコンピュータに出力する画像情報読取手段を備え、前記コンピュータは、スタンプ加盟店毎の識別情報を記憶させたスタンプ加盟店識別情報記憶手段と、前記画像情報読取手段から入力された画像情報に基づきスタンプ加盟店の識別情報を認識して、特定のスタンプ加盟店を認識するスタンプ加盟店認識手段と、スタンプ加盟店認識手段で認識されたスタンプカードに押印されているスタンプ加盟店毎のスタンプの数を計算するスタンプ計算手段と、スタンプ計算手段で計算されたスタンプ加盟店毎のスタンプの数により、スタンプ加盟店毎の負担金を計算する負担金計算手段と、を備えており、前記スタンプ加盟店から本部に提出されたフルマークになったスタンプカードを本部に備えた画像情報読取手段により、スタンプカードのスタンプを画像情報として読み取ってコンピュータに出力し、スタンプ加盟店認識手段により、前記画像情報読取手段から入力された画像情報に基づきスタンプ加盟店の識別情報を認識し、スタンプ計算手段により、スタンプ加盟店認識手段で認識されたスタンプカードに押印されているスタンプ加盟店毎のスタンプの数を計算し、負担金計算手段により、スタンプ計算手段で計算されたスタンプ加盟店毎のスタンプの数からスタンプ加盟店毎の負担金を計算し、本部からスタンプカードに押されているスタンプ加盟店毎に、負担金計算手段で計算されたスタンプ加盟店毎の負担金を請求するようにし、また、フルマークになったスタンプカードを提出したスタンプ加盟店に対しては、スタンプカードの枚数に応じて適宜の計算手段により給付金を計算して、所定の金額を給付するようにしたことを特徴とする。
【０００７】
請求項２に記載の発明は、スタンプ加盟店と、スタンプ加盟店を纏める本部とを備えて構成される組織体からなり、スタンプ加盟店は共通のスタンプカードを使用し、フルマークになったスタンプカードに対して本部はこれを買物利用券或いは景品その他のサービス提供券として顧客に利益を提供するとともに、フルマークになったスタンプカードに押されているスタンプ加盟店毎に、スタンプの数に応じた負担金をコンピュータで計算し請求するようにしたポイントサービスシステムであって、前記スタンプ加盟店は、スタンプカードに対してスタンプ加盟店識別情報を含んだスタンプを押印するための押印手段を備え、本部は、押印手段で押印されたスタンプカードのスタンプを画像情報として読み取りコンピュータに出力する画像情報読取手段を備え、前記コンピュータは、スタンプ加盟店毎の識別情報を記憶させたスタンプ加盟店識別情報記憶手段と、前記画像情報読取手段から入力された画像情報に基づきスタンプ加盟店の識別情報を認識して、特定のスタンプ加盟店を認識するスタンプ加盟店認識手段と、スタンプ加盟店認識手段で認識されたスタンプカードに押印されているスタンプ加盟店毎のスタンプの数を計算するスタンプ計算手段と、スタンプ計算手段で計算されたスタンプ加盟店毎のスタンプの数により、スタンプ加盟店毎の負担金を計算する負担金計算手段と、を備えており、前記顧客から本部に提出されたフルマークになったスタンプカードを本部に備えた画像情報読取手段により、スタンプカードのスタンプを画像情報として読みとってコンピュータに出力し、スタンプ加盟店認識手段により、前記画像情報読取手段から入力された画像情報に基づきスタンプ加盟店の識別情報を認識し、スタンプ計算手段により、スタンプ加盟店認識手段で認識されたスタンプカードに押印されているスタンプ加盟店毎のスタンプの数を計算し、負担金計算手段により、スタンプ計算手段で計算されたスタンプ加盟店毎のスタンプの数からスタンプ加盟店毎の負担金を計算し、本部からスタンプカードに押されているスタンプ加盟店毎に、負担金計算手段で計算されたスタンプ加盟店毎の負担金を請求するようにしたことを特徴とする。
【０００８】
請求項３に記載の発明は、請求項１又は２に記載の、前記スタンプカードには顧客情報を記載する顧客情報記載欄を備え、前記本部にはスタンプカードに記載された顧客情報を読み取りコンピュータに出力する顧客情報読取手段を備え、前記コンピュータは、前記顧客情報読取手段から入力された顧客情報を所定項目毎に集計する顧客情報集計手段を備えたことを特徴とする。
【０００９】
請求項４に記載の発明は、請求項１，２又は３に記載の、前記スタンプ加盟店はそれぞれ所定のサーバにホームページを開設し、前記スタンプには、該スタンプを押印する前記スタンプ加盟店の符号化されたホームページアドレスを含ませ、顧客が有する携帯端末に備えた撮像手段で前記スタンプを撮影することにより、インターネットを介して前記ホームページにアクセスできるようにしたことを特徴とする。
【発明の効果】
【００１０】
本発明に係るポイントサービスシステムは、本部が、本部に提出されたフルマークになったスタンプカードに押されている加盟店毎に、スタンプの数に応じた負担金を請求するようにしたので、スタンプ加盟店は必ず使用されたポイントに対してのみ負担金を本部に支払うことになり、顧客に利用されなかったポイントについては負担金の支払いがなくなることから、その分無駄な経費を削減することができるものとなる。
【００１１】
また、ポイントはスタンプカードへのスタンプの押印により行うので、スタンプ加盟店における設備費も安価で済み、また、スタンプ加盟店が押印するスタンプには、スタンプ加盟店識別情報を含んでおり、本部に提出されたフルマークになったスタンプカードを本部に備えた画像情報読取手段により、スタンプカードのスタンプを画像情報として読み取ってコンピュータに出力し、スタンプ加盟店認識手段により、前記画像情報読取手段から入力された画像情報に基づきスタンプ加盟店の識別情報を認識し、スタンプ計算手段により、スタンプ加盟店認識手段で認識されたスタンプカードに押印されているスタンプ加盟店毎のスタンプの数を計算し、負担金計算手段により、スタンプ計算手段で計算されたスタンプ加盟店毎のスタンプの数からスタンプ加盟店毎の負担金を計算することにより、スタンプ加盟店毎の負担金を容易に且つ確実に算出することができることから、ポイントサービスの運営を低コストで円滑に行うことができるものとなる。
【００１２】
また、前記スタンプカードに顧客情報を記載する顧客情報記載欄を備え、前記本部にはスタンプカードに記載された顧客情報を読み取りコンピュータに出力する顧客情報読取手段を備えておけば、本部に提出されたスタンプカードに記載された顧客情報を読み取ることにより、顧客情報を所定項目毎に集計しデーダベース化することができ、このデータをスタンプ加盟店全店の活性化や個々のスタンプ加盟店の販売戦略等に利用することができる。
【００１３】
また、前記スタンプ加盟店がそれぞれ所定のサーバにホームページを開設し、前記スタンプには、該スタンプを押印する前記スタンプ加盟店の符号化されたホームページアドレスを含ませ、顧客が有する携帯端末に備えた撮像手段で前記スタンプを撮影することにより、インターネットを介して前記ホームページにアクセスできるようにすると、顧客はスタンプ加盟店のホームページにアクセスすることにより、簡単にスタンプ加盟店の情報を入手することができるものとなる。
【発明を実施するための最良の形態】
【００１４】
以下、本発明に係るポイントサービスシステムを実施するための最良の形態の一例について説明する。
【００１５】
図１は本発明に係るポイントサービスシステムを実施するための最良の形態の第１例を示す説明図、図２は第１例で使用されるスタンプカードの一例を示す平面図、図３は押印手段として使用されるスタンプ印体の一例を示す斜視図、図４は第１例のポイントサービスシステムのフローチャートである。
【００１６】
第１例のポイントサービスシステムは、複数のスタンプ加盟店１と、スタンプ加盟店１を纏める本部２とを備えて構成される組織体からなっており、スタンプ加盟店１は共通のスタンプカード３を使用し、フルマークになったスタンプカード３に対してスタンプ加盟店１はこれを買物利用券或いは景品その他のサービス提供券として顧客４に利益を提供し、当該スタンプ加盟店１は、当該フルマークになったスタンプカード３を本部２に提出し、その数に応じて本部２から所定の金額の給付を受け、本部２は提出されたフルマークになったスタンプカード３に押されているスタンプ加盟店１毎に、スタンプ５の数に応じた負担金をコンピュータ６で計算し請求する構成となっている。
【００１７】
前記スタンプ加盟店１がフルマークになったスタンプカード３を本部２に提出することにより、本部２から所定の金額の給付を受けるのは、他のスタンプ加盟店１のスタンプ５に対してもこれを持参した顧客４に前記利益を提供することによるものであり、スタンプ５を押印したスタンプ加盟店１のスタンプ５の数に応じた負担金の本部２への支払いによって精算されるようになっている。
【００１８】
前記スタンプ加盟店１と本部２とで構成される組織体としては、例えば、商店街、フランチャイズチェーン、デパート、タクシー各社で組織した連合体などを挙げることができるが、これに限られるものではない。
【００１９】
組織体が商店街である場合、前記スタンプ加盟店１は商店街を構成する各店舗であり、本部２は、商店街の運営を行う運営事務局である。また、組織体がフランチャイズチェーンである場合、前記スタンプ加盟店１はフランチャイズ加盟店であり、本部２はフランチャイズチェーン本部である。また、組織体がデパートである場合、前記スタンプ加盟店１はデパートに入っているテナント業者であり、前記本部２はデパート本部である。また、組織体がタクシー各社で組織した連合体である場合は、前記スタンプ加盟店１は連合体を組織しているタクシー各社であり、前記本部２はタクシー各社で組織した連合体である。
【００２０】
また、第１例で使用されるスタンプカード３は、所定の数に仕切られたスタンプ押印欄７を備え、更に本例では顧客情報を記載する顧客情報記載欄８を備えている。
【００２１】
この顧客情報記載欄８には、例えば、顧客４の年齢、性別、居住地域、職業等の記載項目を設けている。この記載の方法としては、記載の容易さ及び後に述べる読み取りの容易さから、記載者即ち顧客４に、特定の情報に該当する番号を選ばせ、或いはマークシート形式にして該当情報を黒く塗りつぶさせる、といった方法で記載できるようにすることが好ましい。
【００２２】
前記スタンプ押印欄７と顧客情報記載欄８を備えたスタンプカード３は、チラシ或いはカタログ等の一部を利用してスタンプ押印欄７と顧客情報記載欄８を表示し、これをスタンプカード３としてもよい。
【００２３】
また、前記スタンプ加盟店１は、スタンプカード３にスタンプ５を押印するための押印手段９を備えている。この押印手段９として、所定のスタンプ５が刻印されたスタンプ刻印面１０を有するスタンプ印体１１が使用される。
【００２４】
前記スタンプ５には特定のスタンプ加盟店１を表示するスタンプ加盟店識別情報が含まれている。このスタンプ加盟店識別情報は後に述べる画像情報読取手段で読み取れるものであれば特に限定されない。第１例では、スタンプ５として２次元バーコードが使用されている。スタンプ５として２次元バーコードを使用することにより、スタンプ加盟店識別情報を容易に含ませることができると共にスタンプ５の偽造防止にも役立つ。また、多くの情報量を含ませることができる。
【００２５】
第１例では、前記スタンプ５として２次元バーコードに、スタンプ加盟店１のスタンプ加盟店識別情報だけでなく、当該スタンプ加盟店１のホームページアドレスや電話番号を含ませており、後に述べるように、顧客４が有する携帯端末１２に備えた撮像手段で前記スタンプ５を撮影することにより、インターネット１３を介して前記ホームページにアクセスできるようになっている。
【００２６】
また、本部２は、押印手段９で押印されたスタンプカード３のスタンプ５を画像情報として読み取りコンピュータ６に出力する画像情報読取手段１４と、スタンプカード３の顧客情報記載欄８に記載された顧客情報を読み取りコンピュータ６に出力する顧客情報読取手段１５を備えている。この画像情報読取手段１４及び顧客情報読取手段１５として、第１例ではスキャナーが使用されている。
【００２７】
そして、前記コンピュータ６は、スタンプ加盟店１毎の識別情報を記憶させたスタンプ加盟店識別情報記憶手段と、前記画像情報読取手段１４から入力された画像情報に基づきスタンプ加盟店の識別情報を認識して、特定のスタンプ加盟店１を認識するスタンプ加盟店認識手段と、スタンプ加盟店認識手段で認識されたスタンプカード３に押印されているスタンプ加盟店毎のスタンプ５の数を計算するスタンプ計算手段と、スタンプ計算手段で計算されたスタンプ加盟店１毎のスタンプ５の数により、スタンプ加盟店１毎の負担金を計算する負担金計算手段と、前記顧客情報読取手段１５から入力された顧客情報を所定項目毎に集計する顧客情報集計手段と、を備えている。
【００２８】
前記スタンプ加盟店識別情報記憶手段には、全てのスタンプ加盟店１毎の、スタンプ加盟店識別情報、その他スタンプ加盟店１のホームページアドレスや電話番号等が含まれているスタンプ５が記憶されている。
【００２９】
また、前記スタンプ加盟店認識手段は、前記画像情報読取手段１４から入力された画像情報と前記スタンプ加盟店識別情報記憶手段に記憶されているスタンプ加盟店識別情報とに基づき特定のスタンプ加盟店１及びスタンプ加盟店のホームページアドレスや電話番号等を認識するものである。
【００３０】
また、前記スタンプ計算手段は、前記スタンプ加盟店認識手段で認識されたスタンプカード３に押印されているスタンプ加盟店１毎のスタンプ５の数を計算し、前記負担金計算手段により、前記スタンプ計算手段で計算されたスタンプ加盟店１毎のスタンプ５の数から、スタンプ加盟店１毎の負担金を計算するものである。
【００３１】
また、前記顧客情報読取手段１５から入力された顧客情報を所定項目毎に集計する顧客情報集計手段は、顧客情報読取手段１５で読み取った、例えば、本部２に提出された１年間におけるスタンプカード３の顧客情報記載欄８に記載されている顧客情報に基づいて、例えば、年齢、性別、居住地域、職業別の顧客４の購買数、また、前記スタンプ計算手段で計算された、前記スタンプ加盟店認識手段で認識されたスタンプカード３に押印されているスタンプ加盟店１毎のスタンプ５の数と前記顧客情報により、スタンプ加盟店１毎における年齢、性別、職業、居住地域別の顧客４の購買数等、項目毎に集計しデーダベース化するものである。
【００３２】
前記顧客情報集計手段で集計する項目は、顧客情報読取手段１５及びスタンプ計算手段で計算された、前記スタンプ加盟店認識手段で認識されたスタンプカード３に押印されているスタンプ加盟店１毎のスタンプ５の数等から得られる情報を基にする限り特に限定されない。
【００３３】
また、第１例では、前記スタンプ加盟店１が、それぞれ所定のサーバ１６にホームページを開設しており、スタンプカード３に押印されているスタンプ加盟店１のスタンプ５を、顧客４が有する携帯端末１２に備えた撮像手段で撮影することにより、インターネット１３を介して前記スタンプ加盟店１のホームページにアクセスできるようになっている。
【００３４】
次に、上記のように構成された第１例のポイントサービスシステムの作用について、図４により説明する。
【００３５】
各スタンプ加盟店１は、顧客４にスタンプカード３を渡す（１００）。顧客４は、いずれかのスタンプ加盟店１で買い物をすると（１０１）、スタンプ加盟店１は顧客が所持するスタンプカード３のスタンプ押印欄７に購入金額に応じた数のスタンプ５を押印する（１０２）。スタンプ押印欄７がフルマークになったら、顧客４はフルマークのスタンプカード３をいずれかのスタンプ加盟店１に提出する（１０３）。フルマークのスタンプカード３を受け取ったスタンプ加盟店１は、顧客４に対し、スタンプカード３に備えられた顧客情報記載欄８に、顧客情報の記載を求め、そして、スタンプカード３を買物利用券或いは景品その他のサービス提供券として顧客４に利益を提供する（１０４）。
【００３６】
スタンプ加盟店１は、当該フルマークになったスタンプカード３を、例えば、一定期間毎に纏めて本部２に提出する（１０５）。本部２は、スタンプカード３の枚数に応じて、そのスタンプ加盟店１が顧客４への利益提供において負担した金額を給付する（１０６）。また、本部２は提出されたスタンプカード３のスタンプ５を画像情報読取手段１４で読み取ってコンピュータ６に入力し、コンピュータ６でスタンプカード３に押印されているスタンプ加盟店毎のスタンプ５の数を計算し、スタンプ加盟店１毎の負担金を算出して、各スタンプ加盟店１に請求する（１０７）。各スタンプ加盟店１は、請求された負担金を本部２に支払う（１０８）。
【００３７】
更に、第１例では、本部２は、スタンプカード３に記載された顧客情報を顧客情報読取手段１５で読み取りコンピュータ６に出力し、コンピュータ６で顧客情報を所定項目毎に集計しデーダベース化し、このデータをスタンプ加盟店１に提供する（１０９）。
【００３８】
また、顧客１は、携帯端末１２に備えた撮像手段でスタンプカード３に押印されたスタンプ５を撮影することにより、インターネットを介してスタンプ加盟店１のホームページにアクセスし、スタンプ加盟店の情報を入手する（２００）。
【００３９】
図５は本発明に係るポイントサービスシステムを実施するための最良の形態の第２例を示す説明図、図６は第２例のポイントサービスシステムのフローチャートである。第２例において、第１例と同じ構成については、同一の符号を付して説明する
第２例のポイントサービスシステムは、第１例と同様に、スタンプ加盟店１と、スタンプ加盟店を纏める本部２とを備えて構成される組織体からなっており、スタンプ加盟店１は共通のスタンプカード３を使用し、フルマークになったスタンプカード３に対して本部２はこれを買物利用券或いは景品その他のサービス提供券として顧客４に利益を提供するとともに、フルマークになったスタンプカード３に押されているスタンプ加盟店１毎に、スタンプ５の数に応じた負担金をコンピュータ６で計算し請求する構成となっている。
【００４０】
このように構成された第２例と前記第１例との差異は、第１例は、フルマークになったスタンプカード３に対してスタンプ加盟店１がこれを買物利用券或いは景品その他のサービス提供券として顧客４に利益を提供するのに対し、第２例では、フルマークになったスタンプカード３に対して本部２がこれを買物利用券或いは景品その他のサービス提供券として顧客４に利益を提供するようにした点だけであり、他の構成にあっては、第２例と前記第１例とは変わるところがないので、第２例の構成として前記第１例の構成を援用し、その説明を省略する。
【００４１】
次に、上記のように構成された第２例のポイントサービスシステムの作用について、図６により説明する。
【００４２】
各スタンプ加盟店１は、顧客４にスタンプカード３を渡す（１００）。顧客４は、いずれかのスタンプ加盟店１で買い物をすると（１０１）、スタンプ加盟店１は顧客が所持するスタンプカード３のスタンプ押印欄７に購入金額に応じた数のスタンプ５を押印する（１０２）。スタンプ押印欄７がフルマークになったら、顧客４はフルマークのスタンプカード３を本部２に提出する（２０１）。フルマークのスタンプカード３を受け取った本部２は、顧客４に対し、スタンプカード３に備えられた顧客情報記載欄８に、顧客情報の記載を求め、そして、スタンプカード３を買物利用券或いは景品その他のサービス提供券として顧客４に利益を提供する（２０２）。
【００４３】
本部２は提出されたスタンプカード３のスタンプ５を画像情報読取手段１４で読み取ってコンピュータ６に入力し、コンピュータ６でスタンプカード３に押印されているスタンプ加盟店毎のスタンプ５の数を計算し、スタンプ加盟店１毎の負担金を算出して、各スタンプ加盟店１に請求する（１０７）。各スタンプ加盟店１は、請求された負担金を本部２に支払う（１０８）。
【００４４】
更に、第２例も、第１例と同様に、本部２は、スタンプカード３に記載された顧客情報を顧客情報読取手段１５で読み取りコンピュータ６に出力し、コンピュータ６で顧客情報を所定項目毎に集計しデーダベース化し、このデータをスタンプ加盟店１に提供する（１０９）。
【００４５】
また、顧客１は、携帯端末１２に備えた撮像手段でスタンプカード３に押印されたスタンプ５を撮影することにより、インターネットを介してスタンプ加盟店１のホームページにアクセスし、スタンプ加盟店の情報を入手する（２００）。
【００４６】
なお、前記第１例及び第２例では、いずれもスタンプカード３を各スタンプ加盟店１が顧客４に渡しているが、本部２が渡すようにしてもよい。
【図面の簡単な説明】
【００４７】
【図１】本発明に係るポイントサービスシステムを実施するための最良の形態の第１例を示す説明図。
【図２】第１例で使用されるスタンプカードの一例を示す平面図。
【図３】押印手段として使用されるスタンプ印体の一例を示す斜視図。
【図４】第１例のポイントサービスシステムのフローチャート。
【図５】本発明に係るポイントサービスシステムを実施するための最良の形態の第２例を示す説明図。
【図６】第２例のポイントサービスシステムのフローチャート。
【符号の説明】
【００４８】
１    スタンプ加盟店
２    本部
３    スタンプカード
４    顧客
５    スタンプ
６    コンピュータ
７    スタンプ押印欄
８    顧客情報記載欄
９    押印手段
１０  スタンプ刻印面
１１  スタンプ印体
１２  携帯端末
１３  インターネット
１４  画像情報読取手段
１５  顧客情報読取手段
１６  サーバ
【図１】
2006113731.tif 000003
【図２】
2006113731.tif 000004
【図３】
2006113731.tif 000005
【図４】
2006113731.tif 000006
【図５】
2006113731.tif 000007
【図６】
2006113731.tif 000008